(57)【要約】【課題】局部的な輝度制御及び色特性制御ができる液晶表示装置の駆動装置及びその方法を提供する。【解決手段】少なくとも二つの分割領域を有する液晶表示パネルと、前記液晶パネルの分割領域別で光を照射する、少なくとも一つの発光ダイオードを含めた光発生部と、前記液晶表示パネルの分割領域各々のピーク階調値によって、前記発光ダイオードによって発生される光の輝度を制御する駆動部とを備える。【選択図】図３
2005338857.tif 000002
【特許請求の範囲】
【請求項１】
少なくとも二つの分割領域を有する液晶表示パネルと、
前記液晶パネルの分割領域に光を照射する少なくとも一つの発光ダイオードを含める光発生部と、
前記液晶表示パネルの分割領域各々のピーク階調値に従って前記発光ダイオードによって照射される光の輝度を制御する駆動部と
を備える液晶表示装置の駆動装置。
【請求項２】
前記少なくとも一つの発光ダイオードは、ホワイト発光ダイオード、または赤色発光ダイオード、緑色発光ダイオード、及び青色発光ダイオードを含める
ことを特徴とする請求項１に記載の液晶表示装置の駆動装置。
【請求項３】
前記赤色発光ダイオード、緑色発光ダイオード、及び青色発光ダイオードは、赤色―緑色―青色発光ダイオード、赤色―緑色―緑色―青色発光ダイオード、または赤色―緑色―青色―青色発光ダイオードのいずれか１つを含める
ことを特徴とする請求項２に記載の液晶表示装置の駆動装置。
【請求項４】
前記赤色発光ダイオード、緑色発光ダイオード、及び青色発光ダイオードは、特定の順序で垂直及び水平に配列される
ことを特徴とする請求項２に記載の液晶表示装置の駆動装置。
【請求項５】
前記駆動部は、前記液晶表示パネルの画像具現期間以前のスキャニング期間の間、前記発光ダイオードに供給される信号のデューティ比を前記液晶表示パネルの基準輝度によって調整し、前記基準輝度に対応する信号の振幅を可変し、または前記発光ダイオードに供給される信号の振幅を前記基準輝度によって調整し、前記基準輝度に対応して前記発光ダイオードに供給される信号のデューティ比を可変する
ことを特徴とする請求項１に記載の液晶表示装置の駆動装置。
【請求項６】
前記分割領域各々のピーク階調値が供給されて、各ピーク階調値に対応する制御信号を生成し、前記駆動部に供給するタイミング制御部をさらに備える
ことを特徴とする請求項１に記載の液晶表示装置の駆動装置
【請求項７】
前記駆動部は、前記タイミング制御部と前記発光ダイオードの間に配置させるパルス幅変調制御部と、前記パルス幅変調制御部と前記発光ダイオードの間に配置され、前記発光ダイオードのオンオフを制御するスイッチとを備える
ことを特徴とする請求項６に記載の液晶表示装置の駆動装置
【請求項８】
前記パルス幅変調制御部は、前記少なくとも一つの発光ダイオードによって形成された発光ダイオード群に接続され、前記タイミング制御部によって電流の大きさを調整する
ことを特徴とする請求項７に記載の液晶表示装置の駆動装置
【請求項９】
液晶表示パネルと、
前記液晶表示パネルに光を照射する複数の発光ダイオードを含むバックライトユニットと、
前記発光ダイオードを選択的に制御し、前記発光ダイオードによって発生した光の輝度を選択的に制御する駆動部と
を備える液晶表示装置。
【請求項１０】
前記発光ダイオードは、ホワイト発光ダイオード、または赤色発光ダイオード、緑色発光ダイオード、及び青色発光ダイオードを含める
ことを特徴とする請求項９に記載の液晶表示装置。
【請求項１１】
前記発光ダイオードは、赤色―緑色―緑色―青色発光ダイオードの順に配列され、または赤色―緑色―青色―青色発光ダイオードの順に配列される
ことを特徴とする請求項９に記載の液晶表示装置の駆動装置。
【請求項１２】
前記駆動部は、パルスのデューティ比や振幅を調整し、前記一つ以上の発光ダイオードから発生される光の輝度を制御する
ことを特徴とする請求項９に記載の液晶表示装置。
【請求項１３】
前記複数の発光ダイオードは、マトリクス状に配列される
ことを特徴とする請求項９に記載の液晶表示装置。
【請求項１４】
液晶表示パネルと光発生部を有する液晶表示装置の駆動方法であって、
前記液晶表示パネルを、少なくとも二つの分割領域に分割する段階と、
前記分割領域各々のピーク階調値によって、少なくとも一つの発光ダイオードを含める前記光発生部を制御して、前記分割領域各々に光を照射する段階と
を含める液晶表示装置の駆動方法。
【請求項１５】
前記少なくとも一つの発光ダイオードは、ホワイト発光ダイオード、または赤色発光ダイオード、緑色発光ダイオード、及び青色発光ダイオードを含める
ことを特徴とする請求項１４に記載の液晶表示装置の駆動方法。
【請求項１６】
前記赤色発光ダイオード、緑色発光ダイオード、青色発光ダイオードは、赤色―緑色―青色発光ダイオード、赤色―緑色―緑色―青色発光ダイオード、または赤色―緑色―青色―青色発光ダイオードのうち、少なくともいずれか一つを含める
ことを特徴とする請求項２に記載の液晶表示装置の駆動方法。
【請求項１７】
前記光を照射する段階は、前記液晶表示パネルの画像具現期間以前のスキャニング期間の間、前記発光ダイオードに供給される信号のデューティ比を前記液晶表示パネルの基準輝度によって調整し、前記基準輝度に対応する信号の振幅を可変し、または前記発光ダイオードに供給される信号の振幅を前記基準輝度によって調整し、前記基準輝度に対応して前記発光ダイオードに供給される信号のデューティ比を可変する
ことを特徴とする請求項１４に記載の液晶表示装置の駆動方法。
【請求項１８】
前記光を照射する段階は、前記分割領域各々のピーク階調値を計算する段階と、前記ピーク階調値に対応して制御信号を発生する段階とを含める
ことを特徴とする請求項１４に記載の液晶表示装置の駆動方法。
【請求項１９】
前記光を照射する段階は、前記制御信号によってパルス信号を発生する段階と、前記パルス信号を利用して前記発光ダイオードらを選択的に制御する段階とを含める
ことを特徴とする請求項１８に記載の液晶表示装置の駆動方法。
【請求項２０】
前記発光ダイオードは、マトリクス状に配列される複数の発光ダイオードを含め、前記光を照射する段階は、前記複数の発光ダイオードを複数の発光ダイオード群に分割する段階と、前記発光ダイオード群各々を選択的に駆動する段階とを含める
ことを特徴とする請求項１４に記載の液晶表示装置の駆動方法。
【発明の詳細な説明】
【技術分野】
【０００１】
本発明は液晶表示装置の駆動装置及びその方法に関し、特に、局部的な輝度制御及び色特性制御が可能な液晶表示装置の駆動装置及びその方法に関する。
【背景技術】
【０００２】
一般的に、液晶表示装置（Liquid Crystal Display:以下、‘ＬＣＤ'と称す）は、軽量、薄型、低消費電力駆動等の特徴によって、その応用範囲が漸次広がっている。このような趨勢によって、ＬＣＤは事務自動化機器、オ―ディオ・ビデオ機器等に用いられている。一方、ＬＣＤは、マトリクス状に配列された複数の制御用スイッチに印加される画像信号に従って光ビームの透過量が調節される。
【０００３】
このようなＬＣＤは、自発光表示装置ではないため、バックライト(Back Light)のような光源が必要になる。ＬＣＤ用バックライトは直下形方式と導光板方式等がある。直下形は、平面にランプを複数個配置する。そして、ランプと液晶パネルの間に拡散板を設置し、液晶パネルとランプ間の幅を一定に維持する。導光板方式は、平板の外郭にランプを設置したものであり、ランプから透明な導光板を利用して液晶パネル全体の面に光が入射される。
【０００４】
図１及び図２を参照すると、従来の直下形バックライトを採用したＬＣＤは、画像を表示するための液晶パネル２、液晶パネル２に均一な光を照射するための直下形バックライトユニットを備える。
【０００５】
液晶パネル２は、上部及び下部基板の間に液晶セルがアクティブマトリクス(Active Matrix)状に配列され、この液晶セル各々に電界を印加するための画素電極と共通電極とが設置される。画素電極は、下部基板、即ち薄膜トランジスター基板上に液晶セル別に形成される反面、共通電極は、上部基板の全面に一体化して形成される。画素電極各々はスイッチ素子として利用される薄膜トランジスター(Thin Film Transistor)に接続される。画素電極は、薄膜トランジスターを通じて供給されるデーター信号にしたがって共通電極と共に液晶セルを駆動してビデオ信号に対応する画像を表示する。
【０００６】
直下形バックライトユニットは、光を発生する複数のランプ３６、複数のランプ３６の下部に位置するランプハウジング（又は直下形バックライトユニットのランプ収納容器；３４）、ランプハウジング３４を覆う拡散板１２及び拡散板１２の上に置かれる光学シート１０を含める。
【０００７】
複数のランプ３６の各々は、ガラス管と、ガラス管内部に存在する不活性気体と、ガラス管の両端部に設置される陰極及び陽極で構成される。ガラス管内部には不活性気体が充填され、ガラス管内壁には蛍光体が塗布されている。
【０００８】
このような複数のランプ３６の各々は、図示してないインバーターからの高圧の交流波形が高圧電極及び低圧電極に印加されると、低圧電極（Ｌ）から電子が放出され、ガラス管内部の不活性気体と衝突して幾何級数的に電子の量が増える。この増えた電子によってガラス管内部に電流が流れるようになるため、電子によって不活性気体が励起されることによって紫外線が放出される。この紫外線はガラス管の内側壁に塗布された発光性蛍光体に衝突して可視光線を放出させる。この際、複数のランプ３６には高圧の交流波形が持続的に供給され、絶えず点灯する。
【０００９】
このような複数のランプ３６はランプハウジング３４上に並べて配置される。
【００１０】
ランプハウジング３４は、複数のランプ３６の各々から放出される可視光線の光漏れを防ぐと共に、複数のランプ３６の側面及び背面に進行する可視光線を前面、即ち拡散板１２の方に反射させることによって、ランプ３６から発生される光の効率を向上させる。
【００１１】
拡散板１２は複数のランプ３６から照射された光を液晶パネル２の方に進行させ、広い範囲の角度から入射させる。このような拡散板１２は、透明な樹脂で構成されたフィルムの両面に光拡散用部材をコーティングしたものを使用する。
【００１２】
光学シート１０は拡散板１２から出射された光の視野角を狭くすることによって、液晶表示装置の正面輝度を向上させ、消費電力を減らすことができる。
【００１３】
反射シート１４はランプハウジング３４の上面と複数個のランプ３６の間に配置され、ランプ３６から発生された光を反射させ、液晶表示パネル２の方向に照射させ、光の効率を向上させる。
【００１４】
このような従来のＬＣＤは、ランプハウジング３４に配置される複数のランプ３６を利用して、均一な光を発生させ液晶パネル２に照射することによって求める画像を表示する。これによって、従来のＬＣＤはランプを持続的にオンして置くことになるので、電力消費が大きいという問題があるだけでなく、液晶パネル２上に爆発やフラッシュのような画像を表示するため、液晶パネル２上の一定部分だけを瞬間的に明るくする局部的ピーク輝度（Peak Brightness）を具現できない問題があった。
【発明の開示】
【発明が解決しようとする課題】
【００１５】
従って、本発明の目的は液晶表示装置の画質を改善し、消費電力を低減させられる液晶表示装置の輝度制御装置及びその方法を提供するのである。
【課題を解決するための手段】
【００１６】
前記目的を達成させるため、本発明による液晶表示装置の駆動装置は、少なくとも二つの分割領域を有する液晶表示パネルと、前記液晶パネルの分割領域別に光を照射する少なくとも一つの発光ダイオードを含める光発生部と、前記液晶表示パネルの分割領域各々のピーク階調値によって前記発光ダイオードによって発生される光の輝度を制御する駆動部とを備える。
配列
【００１７】
また、本発明による液晶表示装置は、液晶表示パネルと、前記液晶表示パネルに光を照射する複数の発光ダイオードを含めるバックライトユニットと、前記発光ダイオードを選択的に制御し、前記発光ダイオードによって発生された光の輝度を選択的に制御する駆動部とを備える。
【００１８】
さらに、本発明による液晶表示装置の駆動方法は、液晶表示パネルと光発生部を有する液晶表示装置の駆動方法であって、前記液晶表示パネルを、少なくとも二つの分割領域に分割する段階と、前記分割領域各々のピーク階調値によって、少なくとも一つの発光ダイオードを含める前記光発生部を制御し、前記分割領域各々に光を照射する段階とを含める。
【発明の効果】
【００１９】
本発明は局部的に輝度が制御できるだけでなく、局部的に色温度・色座標を制御することもでき、さらに、回路構成が簡便になり、集積度を上げられる。
【発明を実施するための最良の形態】
【００２０】
以下、図３乃至図１１を参照して、本発明の好ましい実施の形態に対して説明する。
【００２１】
図３乃至図４を参照すると、本発明の第１実施の形態に係る液晶表示装置は、液晶パネル１０２と、液晶パネル１０２の所定領域別に光を照射する複数個のホワイト（White）ＬＥＤ（light-emitting diode）１３６を有するバックライトユニットと、複数個のホワイトＬＥＤ１３６を各々駆動させるＬＥＤ駆動部１６０とを備える。
【００２２】
液晶パネル１０２は、上部及び下部基板の間に、液晶セルがアクティブマトリクス(Active Matrix)状に配列され、この液晶セル各々に電界を印加するための画素電極と共通電極とが設置される。画素電極は下部基板、即ち薄膜トランジスター基板上に液晶セル別に形成される反面、共通電極は上部基板の全面に一体化して形成される。画素電極各々はスイッチ素子として利用される薄膜トランジスター(Thin Film Transistor)に接続される。画素電極は薄膜トランジスターを通じて供給されるデーター信号によって共通電極と共に液晶セルを駆動してビデオ信号に対応する画像を表示する。
【００２３】
バックライトユニットは、光を発生する複数のホワイトＬＥＤ１３６と、複数のホワイトＬＥＤ１３６を収納するランプハウジング１３４と、ランプハウジング１３４から発生された光を拡散させる拡散板１１２及び拡散板１１２から出射される光の効率を増加させる光学シート１１０と、複数のホワイトＬＥＤ１３６の背面に配置され、光の効率を改善し、光漏れを防止する反射シート１１４とを含める。
【００２４】
複数のＬＥＤ１３６の各々は半導体のｐ−ｎ接合構造を利用して注入された少数キャリア（電子または正孔）を生成し、これらの再結合によって発光する。発光ダイオードに適合した材料は、発光波長が可視または近赤外領域に存在し、発光効率が高く、ｐ−ｎ接合で製作ができる砒化ガリウム（GaAs）、燐燐化ガリウム（GaP）、ガリウム−砒素−燐（GaAs1-x Px）、ガリウム−アルミニウム−砒素（Ga1-xAlxAs）、燐燐化インディウム（InP）、インディウム−ガリウム−燐（ln1-xGaxP）等の化合物半導体が用いられる。
【００２５】
このようなＬＥＤは、自由キャリアの再結合によるＬＥＤと、不純物発光中心からの再結合によるＬＥＤがある。自由キャリアの再結合によるＬＥＤの発光波長は、大略ch/Eg（ｃは光速、ｈはプランク常数、Egはエネルギーギャップ）であり、砒化ガリウムの場合には、約９００ｎｍである近赤外光になる。ガリウム−砒素−燐においては、燐の含有量増加によってEgが増加するため、可視発光ダイオードになる。また、不純物発光中心からの再結合によるＬＥＤの発光波長は、半導体に添加される不純物の種類によって違う。燐燐化ガリウムの場合、亜鉛及び酸素原子が関与する発光は赤色（波長７００ｎｍ）であり、窒素原子が関与する発光は緑色（波長５５０ｎｍ）である。発光ダイオードは、従来の光源に比べて小形であり、寿命は長く、電気エネルギーが光エネルギーに直接変換するため、電力消費が少なく、効率が高いという特性を有する。
【００２６】
一方、ＬＥＤは高速応答の特性を有し、特に、注入形半導体レーザーは注入密度の極めて高い発光ダイオードの一種として、反転分布が発生し、コヒーレント光コヒーレント光を発生させる。また、ＬＥＤの電圧はほぼ一定であるため、ＬＥＤに連結される直列抵抗の両端の電圧だけを変化させ、変化した電圧に比例して電流が変化し、ＬＥＤの明るさが調節できる。
【００２７】
このようなＬＥＤの中、複数のホワイトＬＥＤ１３６は、ランプハウジング１３４上に所定領域別に並列に配置される。
【００２８】
ランプハウジング１３４は、複数のホワイトＬＥＤ１３６各々から放出される光漏れを防止すると共に、複数のホワイトＬＥＤ１３６の側面及び背面に進行する光を、前面、即ち、拡散板１１２の方に反射させることによって、ホワイトＬＥＤ１３６から発生する光の効率を向上させる。
【００２９】
拡散板１１２は、複数のホワイトＬＥＤ１３６から発生した光を液晶パネル１０２の方に進行させ、広い範囲の角度から入射できるようにする。このような拡散板１１２は、透明な樹脂で構成されたフィルムの両面に、光拡散用部材をコーティングしたのを使用する。
【００３０】
光学シート１１０は、拡散板１１２から出射された光の視野角を狭くすることによって、液晶表示装置の正面輝度を向上させ、消費電力を減少させる。
【００３１】
反射シート１１４は、ランプハウジング１３４の上面と複数個のホワイトＬＥＤ１３６の間に配置され、ホワイトＬＥＤ１３６から発生した光を反射させ、液晶表示パネル１０２の方向に照射させることによって、光の効率を向上させる。
【００３２】
ＬＥＤ駆動部１６０は、図５に図示されたように、各ビデオ信号に対応する制御信号をタイミング制御部１８０から受け、ホワイトＬＥＤ１３６群に供給するＰＷＭ（Pulse Width Modulation）制御器１９０を備える。このようなＬＥＤ駆動部１６０は、ＰＷＭ制御器１９０とホワイトＬＥＤ１３６群の間に配置され、ＰＷＭ制御器１９０からのＰＷＭ信号を調節するスイッチ１９５を備える。
【００３３】
タイミング制御部１８０は、図示しないビデオカードから、液晶パネル１０２の所定領域に印加されるビデオ信号の特性にに従う制御信号を生成する。これを詳しく説明すると、液晶パネル１０２に具現される画像は、それぞれ異なる輝度と画像データー値を有する。例えば、明るい画像は高い輝度値と明るい階調の画像データー（Ｒ、Ｇ、Ｂ）を有し、暗い画像は低い輝度値と暗い階調の画像データーを有する。このような特性により、タイミング制御部１８０は、各々の異なる輝度値を有する異なる画像領域に応じた多様な制御信号を生成する。
【００３４】
ＰＷＭ制御器１９０は、タイミング制御部１８０から所定の領域に従ってそれぞれ異なる制御信号を受ける。これによって、ＰＷＭ制御器１９０は、タイミング制御部１８０から供給された制御信号に対応するパルス信号を生成する。以後、ＰＷＭ制御器１９０に接続されたホワイトＬＥＤ群１３６に、制御信号に対応するパルス信号を印加する。
【００３５】
このようなパルス信号の生成について図６乃至図８を参照して具体的に説明する。
【００３６】
まず、図６に図示されたように、それぞれ異なる制御信号に対応するパルス信号はＰＷＭ制御器１９０から発生するパルス信号のオンオフデューティ比（duty ratio）を調節する方法と、図７に図示されたように、パルス信号の振幅を変化させる方法と、図８に図示されたように、デューティ比及び振幅変調の組合を通じて調節する方法とが使用できる。
【００３７】
また、液晶パネル１０２に画像を具現するためには、液晶をあらかじめ活性化させるスキャニンググ技術を使用して、液晶が活性化するに必要な遅延時間を補償する。このようなスキャニング技術に対して、ＰＷＭ制御器１９０は、パルス信号のオンオフデューティ比及び振幅の中、少なくとも一つを変化させる方法を使用して、使用者が要求する輝度値に対応するパルス信号を生成する。
【００３８】
以後、このように生成されたパルス信号をスキャニンググ期間に供給して、それぞれのホワイトＬＥＤ１３６を発光させ光を照射する。ここで、ホワイトＬＥＤ１３６はパルス信号に対して、その特性上、高速応答特性を有しているため、スキャニンググ期間の間、従来のランプより早い応答で、液晶が有する遅延を低減させることができる。
【００３９】
このような構造を有する液晶表示装置の駆動方法に対して説明する。
【００４０】
図３乃至図９を参照して、複数のホワイトＬＥＤ１３６が３２個の領域（A,B,C・・・）に区分される液晶表示パネルに対して例をあげて説明する。３２個の領域を有する液晶パネル１０２は、少なくとも３２個以上のホワイトＬＥＤ１３６が、少なくとも一つのホワイトＬＥＤ１３６に群を形成し、液晶パネル１０２の３２個の領域を担当する。これによって、ＰＷＭ制御器１９０は３２個の領域のホワイトＬＥＤ群１３６に、それぞれ異なるパルス信号を供給する構造を有する。ここで、ＰＷＭ制御器１９０は、３２個の領域のホワイトＬＥＤ群１３６にそれぞれ対応するように、少なくとも一つのＰＷＭ制御器１９０に形成されることができる。このようなＰＷＭ制御器１９０には、液晶パネル１０２の３２個の領域に、各々の領域に対応する制御信号をタイミング制御部１８０から供給される。以後、ＰＷＭ制御器１９０は、タイミング制御部１８０から受けた、それぞれ異なる制御信号に対応するそれぞれ異なるパルス信号を生成する。即ち、パルス信号のオンオフデューティ比及びパルス信号の振幅の中、少なくとも一つを調節することによって、タイミング制御部１８０から供給される制御信号に対応するパルス信号を生成する。このようなパルス信号は、ホワイトＬＥＤ群１３６に供給し、それぞれ異なる輝度を有するホワイトＬＥＤ群１３６によって、液晶表示パネル１０２の３２個の領域は、領域別にそれぞれ異なる輝度の画像が具現させられる。従って、爆発やフラッシュのような、瞬間的に高い輝度値を有する画像には、動画像及び明暗比の高い輝度を要求する画像に迅速に対応して画像が具現させられる。
【００４１】
図１０は、本発明の第２の実施の形態に係る液晶表示装置の駆動装置を示した図面である。
【００４２】
本発明の第２の実施の形態に係る液晶表示装置の駆動装置は、画像を具現する液晶パネル２０２と、液晶パネル２０２の一定領域別に光を照射する複数個のＲ（Red）、Ｇ（Green）Ｂ（Blue）ＬＥＤ(light-emitting diode)２３６を有するバックライトユニットと、複数個のＲＧＢ  ＬＥＤ２３６をそれぞれ駆動させるＬＥＤ駆動部２６０とを備える。
【００４３】
本発明の第２の実施の形態に係る液晶表示装置の駆動装置は、ＲＧＢ ＬＥＤ２３６とＬＥＤ駆動部２６０を除外し、同一の構成要素を有するため、ＲＧＢ ＬＥＤ２３６とＬＥＤ駆動部２６０の他の説明を省略する。
【００４４】
本発明の第２の実施の形態に係る液晶表示装置の駆動装置で使用されるＲＧＢ  ＬＥＤ２３６は、赤色、緑色、青色のＬＥＤをそれぞれ一定の比率に配列させ、その配列に従って所定の領域を分割する。例えば、輝度が相対的に高い緑色（Green）の比重を大きく設定する方式として、ＲＧＢＬＥＤ２３６の配列をＲ：Ｇ：Ｇ：Ｂのように配列させる。このようなＲＧＢ ＬＥＤ２３６の配列を一定領域別で配列して、本発明の第２実施の形態の液晶表示装置の駆動装置は、液晶パネル２０２の画像領域を分割し駆動させられる。
【００４５】
ＬＥＤ駆動部２６０は、液晶パネル２０２の画像データーによって、それぞれ異なる制御信号を生成するタイミング制御部１８０と、タイミング制御部１８０からの制御信号に対応されるパルス信号を生成するＰＷＭ制御器１９０とを備える。
【００４６】
ＰＷＭ制御器１９０は、ＲＧＢ ＬＥＤ２３６の配列によって、それぞれのＲＧＢ ＬＥＤ２３６を駆動するように設置される。即ち、ＰＷＭ制御器１９０は、ＲＧＢ ＬＥＤ２３６を各々のＬＥＤ単位に制御したり、ＲＧＢ ＬＥＤ２３６が成す基本的な群の形態（例えば、ＲＧＢ、ＲＧＧＢB等）に制御したり、少なくとも一つのＲＧＢ ＬＥＤ２３６群に形成されたグループ別で制御したりする。
【００４７】
このような構造を有する本発明の第２の実施の形態の液晶表示装置に対して説明する。
【００４８】
まず、タイミング制御部１８０は、液晶パネル２０２の一定領域に対応する画像の輝度値によって制御信号を生成する。このような制御信号を受けたＰＷＭ制御器１８０は、前記制御信号によって、ＲＧＢ ＬＥＤ２３６に供給するパルス信号を各々生成する。ここで、タイミング制御部１８０からの制御信号に対応するパルス信号の生成は、本発明の第１の実施の形態と同一の方法により生成されるため、説明を省略する。ＲＧＢ ＬＥＤ２３６はＰＷＭ制御器１９０からパルス信号が印加され、光を発生させることによって、液晶パネル２０２に光を照射する。この際、ＲＧＢ ＬＥＤ２３６は、その特性によって、特定の可視光線を液晶パネル２０２に照射する。即ち、本発明の第２の実施の形態に係る液晶表示装置は、局部的に各々の色（ＲＧＢ）及びＲＧＢ各々の組合に成された色を照射する。これにより、ＲＧＢ ＬＥＤ２３６を使用する本発明の第２実施の形態に係る液晶表示装置は、局部的に色温度及び色座標の特性が制御できる。
【００４９】
一方、ホワイトＬＥＤ１３６及びＲＧＢ ＬＥＤ２３６は、従来のＣＣＦＬ（冷陰極管ランプ）及びＥＥＦＬ（外部電極形ランプ）より小形のランプ形態を有するため、液晶パネル２０２の分割領域をさらに細分化できる。これによって、ホワイトＬＥＤ１３６及びＲＧＢ ＬＥＤ２３６を使用する液晶表示装置は、画質を改善し動画像のかすみ（blur）現象を低減することを可能とする。
【００５０】
前述のように、本発明の実施の形態に係る液晶表示装置の駆動装置は、液晶パネルを少なくとも二つの領域に分割し、各分割領域に対応するＬＥＤを使用することによって、局部的に輝度が制御できるだけでなく、ＲＧＢ ＬＥＤを使用する場合、局部的に輝度制御及び色温度・色座標特性制御が可能である。また、ＬＥＤは、その特性が電流に対して高速の反応を見せるため、従来使用されていたチューブ形ランプより、画像具現にあってランプの制御が容易になる。また、ＬＥＤ駆動部は、ＬＥＤが直流駆動される特性によって、回路の構成が簡便になり、集積度が高くなる。
【００５１】
以上、説明した内容を通じて、当業者なら、本発明の技術思想を逸脱しない範囲内で、多様の変更及び修正ができることが分かる。従って、本発明の技術的範囲は、明細書の詳しい説明に記載された内容で限られるのでなく、特許請求の範囲によって決められるはずである。
【図面の簡単な説明】
【００５２】
【図１】従来の液晶表示装置を示した図面である。
【図２】図１のII−II’を従って切り取って断面を示した図面である。
【図３】本発明の第１の実施の形態に係る液晶表示装置を示した図面である。
【図４】図３のIV−IV’を従って切り取って断面を示した図面である。
【図５】本発明の第１の実施の形態に係る液晶表示装置を駆動部を示した図面である。
【図６】駆動部から生成される信号の第１波形図である。
【図７】駆動部から生成される信号の第２波形図である。
【図８】駆動部から生成される信号の第３波形図である。
【図９】本発明の第１の実施の形態に係る液晶パネルの分割領域を示した図面である。
【図１０】本発明の第２の実施の形態に係る液晶表示装置を示した図面である。
【図１１】図１０において、XI−XI’を切り取って断面を示した図面である。
【符号の説明】
【００５３】
２，１０２，２０２：液晶パネル、１０，１１０，２１０：光学シート、１２，１１２，２１２：拡散板、１４，１１４，２１４：反射シート、３４，１３４，２３４：バルブハウジング、３６：冷陰極線管ランプ、１３６，２３６：光ダイオード、１８０：タイミング制御部、１９０：制御器、１９５：スイッチ。
【図１】
2005338857.tif 000003
【図２】
2005338857.tif 000004
【図３】
2005338857.tif 000005
【図４】
2005338857.tif 000006
【図５】
2005338857.tif 000007
【図６】
2005338857.tif 000008
【図７】
2005338857.tif 000009
【図８】
2005338857.tif 000010
【図９】
2005338857.tif 000011
【図１０】
2005338857.tif 000012
【図１１】
2005338857.tif 000013